(57)【要約】【課題】グループのメンバーを簡単に特定して予約できる多機能カラオケリモコン装置を提供する。【解決手段】利用者に向けて各種の情報を提示するとともに提示情報に関連して利用者が入力する情報を認知する利用者インタフェースと、多数のカラオケ楽曲の属性情報を集約して管理する楽曲索引データベースと、カラオケ集会参加者の個人識別符号と個人識別標章とを対応付けして記憶したメンバー表と、無線送信器とを備え、メンバー表に個人識別符号に対応付けした個人識別標章を登録するとともに、登録されている個人識別符号と個人識別標章を削除し、楽曲索引データベースから利用者の希望曲を検索し、希望曲が特定されたときに、メンバー表に登録されている個人識別標章を利用者インタフェースに一覧的に表示して１つを特定する選択入力を促し、特定された希望曲の識別符号と、特定された個人識別標章に対応する個人識別符号とを含んだ演奏予約信号を無線送信器により出力する演奏予約処理を行う多機能カラオケリモコン装置を提供する。【選択図】      図６
2005049706.tif 000002
【特許請求の範囲】
【請求項１】
利用者インタフェースと、楽曲索引データベースと、メンバー表と、無線送信器とを備え、メンバー登録削除処理と、楽曲検索処理と、メンバー選択誘導処理と、演奏予約処理とを行う多機能カラオケリモコン装置であって、
利用者インタフェースは、利用者に向けて各種の情報を提示するとともに提示情報に関連して利用者が入力する情報を認知し、
楽曲索引データベースは、多数のカラオケ楽曲の属性情報を集約して管理し、
メンバー表は、カラオケ集会参加者の個人識別符号と個人識別標章とを対応付けして記憶し、
メンバー登録削除処理は、利用者インタフェースを媒介にし、メンバー表に個人識別符号に対応付けした個人識別標章を登録するとともに、登録されている個人識別符号と個人識別標章を削除し、
楽曲検索処理は、利用者インタフェースを媒介にして楽曲索引データベースから利用者の希望曲を検索し、
メンバー選択誘導処理は、楽曲索引処理により希望曲が特定されたときに、メンバー表に登録されている個人識別標章を利用者インタフェースに一覧的に表示して１つを特定する選択入力を促し、
演奏予約処理は、楽曲索引処理により特定された希望曲の識別符号と、メンバー選択誘導処理により特定された個人識別標章に対応する個人識別符号とを含んだ演奏予約信号を無線送信器により出力する
多機能カラオケリモコン装置。
【請求項２】
メンバー登録削除処理は、個人識別標章を含む個人情報を個人識別符号をキー情報として適宜な記憶領域に格納して管理し、利用者インタフェースを媒介にしてそれらの情報を取り出して利用可能な請求項１に記載のカラオケリモコン装置。
【請求項３】
デジタルカメラを備え、メンバー登録削除処理は、デジタルカメラによって撮影した画像データを個人識別標章として利用可能な請求項１に記載のカラオケリモコン装置。
【発明の詳細な説明】
【技術分野】
【０００１】
この発明は、多機能カラオケリモコン装置に関し、とくに、グループでカラオケを利用する際にメンバー管理を簡単にできるカラオケリモコン装置のユーザインタフェース技術に関する。
【背景技術】
【０００２】
パーソナルリモコンと呼ばれる個人専用のカラオケリモコン送信器が知られている。また、近年の携帯電話機の普及と高性能化にともない、各自が所持する携帯電話機をカラオケリモコンとして利用する技術も開発されている。このような個人専用のカラオケリモコンを用いてもらうことによって利用した個人を特定できる（特許第３１３６２７２号公報、特許第３４２９２１０号公報参照）。  
さらに、個人を特定する技術として、カラオケ装置や共用のカラオケリモコン装置にあらかじめ利用者ＩＤを登録しておいて、各コマンドを発信する際に、利用者ＩＤを対応付けする技術も多数開発されている。これらの技術により個人を特定できるので、カラオケ事業者は個人別のカラオケ利用状況を知ることができる。そこで、利用頻度に応じた特典サービスや嗜好分析による情報提供など、利用実績に基づいた個人別のきめ細かいサービスを充実させカラオケの商品性を高めやすい環境になる。  
そのような観点から、例えば前記特許第３４２９２１０号公報には、演奏履歴を集計しておいて、携帯電話機に個人別の曲目リストを提示する技術について開示されている。また、特許第３４００９２１号公報には、カラオケ利用に応じたポイントサービスについて本出願人によって開示されている。
【０００３】
さらに、特開２００２−３２０８９号公報、特開２００２−９１４６３号公報、特開２００２−１５６９８３号公報、特開２００３−７６３８２号公報などには、利用者の愛好曲リストをパーソナル曲目帳として個人別に作成して利用する技術について詳しく開示されている。これは、利用者が選定した愛好曲リストを利用者別に記録保存しておき、指定された利用者用の愛好曲リストをパーソナル情報画面に提示するとともに、表示された愛好曲リストの中から指定された楽曲のＩＤと利用者のＩＤとを対応付けして演奏予約の待ち行列に登録する技術である。熱心なカラオケ愛好者であっても、よく歌う曲は高々数十曲であるので、このようなパーソナル曲目帳に自分専用の愛好曲リストを作成しておけば、カラオケ演奏予約が簡単にできるので大変に便利である。
【０００４】
また本出願人は、カラオケ楽曲の索引情報を格納した楽曲索引データベースを備え、利用者の希望曲を選曲して演奏予約できる多機能カラオケリモコン装置を実用化している。とくに、特開２００３−１４０６６６号公報や特開２００３−１６７５８９号公報などには、利用者が選曲した楽曲や愛好曲を登録しておくパーソナル曲目帳を備えた多機能カラオケリモコン装置について開示されている。
【０００５】
さらに本出願人は、ビデオカメラを備えたカラオケリモコン装置に関する技術について、特許を取得している（特許第３４３２１３２号）。この技術は、演奏予約した人を撮影してカラオケ装置に転送しておき、演奏開始時やリクエスト曲の一覧を表示する際に、各曲を予約した人の写真を表示するものである。
【特許文献１】特許第３１３６２７２号公報
【特許文献２】特許第３４２９２１０号公報
【特許文献３】特許第３４００９２１号公報
【特許文献４】特開２００２−３２０８９号公報
【特許文献５】特開２００２−９１４６３号公報
【特許文献６】特開２００２−１５６９８３号公報
【特許文献７】特開２００３−７６３８２号公報
【特許文献８】特開２００３−１４０６６６号公報
【特許文献９】特開２００３−１６７５８９号公報
【特許文献１０】特許第３４３２１３２号公報
【発明の開示】
【発明が解決しようとする課題】
【０００６】
上記いずれの従来技術においても、各種の個人別サービスは銘々に楽しむものであって、利用するか否かは各利用者の自由である。大勢が同じ場でカラオケを楽しむ場合であっても、便利な個人別サービスを充分に享受する利用者もいれば、せっかく提供されているそのようなサービスに対して全く無知だったり無関心だったりする利用者もいる、という状況が起こり得る。
【０００７】
一方、グループでカラオケを楽しむ場合に、集ったメンバー全員が個人を特定して利用するようにできると、たとえば誰がどの曲を演奏予約したのか簡単にわかったり、全ての利用者に便利なサービスを提供可能になったりして、カラオケの娯楽性をさらに向上させることができるので大変に便利である。カラオケ事業者にとっても、顧客を取り込む好機となり得る。
【０００８】
また、とくに最近はデジタルカメラつきの携帯電話機が爆発的に普及しており、気軽に所持者自身や身近な風景を撮影できることで絶大な人気を博している。このことから、本発明者は、デジタルカメラで撮影した画像を用いて個人を特定できれば、手軽で利用者にも受け入れられ易いと考えた。
【課題を解決するための手段】
【０００９】
本発明者らは、上記課題に鑑み、グループの全員が個人を特定してカラオケ利用するようにできると便利だと考え、本発明を創作した。この発明は、次の事項（１）〜（８）を備えた多機能カラオケリモコン装置である。  
（１）利用者インタフェースと、楽曲索引データベースと、メンバー表と、無線送信器とを備え、メンバー登録削除処理と、楽曲検索処理と、メンバー選択誘導処理と、演奏予約処理とを行うこと
（２）利用者インタフェースは、利用者に向けて各種の情報を提示するとともに提示情報に関連して利用者が入力する情報を認知すること
（３）楽曲索引データベースは、多数のカラオケ楽曲の属性情報を集約して管理すること
（４）メンバー表は、カラオケ集会参加者の個人識別符号と個人識別標章とを対応付けして記憶すること
（５）メンバー登録削除処理は、利用者インタフェースを媒介にし、メンバー表に個人識別符号に対応付けした個人識別標章を登録するとともに、登録されている個人識別符号と個人識別標章を削除すること
（６）楽曲検索処理は、利用者インタフェースを媒介にして楽曲索引データベースから利用者の希望曲を検索すること
（７）メンバー選択誘導処理は、楽曲索引処理により希望曲が特定されたときに、メンバー表に登録されている個人識別標章を利用者インタフェースに一覧的に表示して１つを特定する選択入力を促すこと
（８）演奏予約処理は、楽曲索引処理により特定された希望曲の識別符号と、メンバー選択誘導処理により特定された個人識別標章に対応する個人識別符号とを含んだ演奏予約信号を無線送信器により出力すること
【００１０】
本発明において望ましくは、メンバー登録削除処理は、個人識別標章を含む個人情報を個人識別符号をキー情報として適宜な記憶領域に格納して管理し、利用者インタフェースを媒介にしてそれらの情報を取り出して利用可能に構成する。
【００１１】
また望ましくは、デジタルカメラを備え、メンバー登録削除処理は、デジタルカメラによって撮影した画像データを個人識別標章として利用可能に構成する。
【発明の効果】
【００１２】
本発明の多機能カラオケリモコン装置によれば、頻繁にカラオケを利用しているカラオケ愛好者に限らず、はじめて利用した人や利用頻度の低い人も含めて、全ての利用者に気軽に個人を識別する情報を登録してもらえる。そのため、とくにグループでカラオケを楽しむ場合に、誰がどの楽曲を演奏予約したかが簡単にわかるので、別の人が重複して同じ楽曲を予約することを避けたり、逆に歌唱の巧拙を競うために同じ曲を予約する、といった多様なカラオケの楽しみ方が可能となる。このように、グループのメンバーを識別できるので、提供できるサービスの幅が広がり、カラオケの娯楽性が向上する。また、より多くの人に個人別に利用実績に応じたポイントサービスや嗜好に適したサービスを提供可能となる。したがって、カラオケ利用者やカラオケの利用機会の増大が見込まれる。
【発明を実施するための最良の形態】
【００１３】
＝＝＝カラオケリモコン装置の構成＝＝＝
この発明の一実施例に係る多機能カラオケリモコン装置の外観と電子システム構成を図１と図２に図示している。この多機能カラオケリモコン装置は、Ｂ５版ほどの寸法で少し厚みのあるパームトップ型でキーボードレスのコンピュータである。
【００１４】
外観的には装置本体の大部分が液晶表示パネル１ａに透明タッチセンサ１ｂを重ねた液晶タッチパネル１で占められ、内部には、ＣＰＵ・ＲＡＭ・ＲＯＭを含む中央処理装置２と、液晶表示パネル１ａの表示ドライバ３と、透明タッチセンサ１ｂの入力検出回路４と、フラッシュメモリ５と、カラオケ装置と交信するための短距離無線通信手段（ＩｒＤＡトランシーバ６・赤外線ＬＥＤ７・赤外線受光素子８）と、電源電池と、充電ステーションのデータ通信装置を介してカラオケ装置とデータ通信する通信制御部９と、利用者を撮影して画像データとして取り込むためのデジタルカメラ１０などが実装されている。
【００１５】
中央処理装置２は、楽曲索引データベースをフラッシュメモリ５に格納して管理している。楽曲索引データベースは、カラオケ装置で演奏可能な楽曲の曲名・歌手名・歌詞の歌い出し部分などのさまざまな属性情報を記述したデータベースであり、カラオケ装置との適宜なデータ通信の機会にその内容を更新するようにシステム構成されている。  
なお、これらの機器間の短距離無線通信手段は、ＩｒＤＡインタフェースの他、ブルートゥース信号などでもよい。
【００１６】
＝＝＝メンバー登録＝＝＝
本実施例に係るカラオケリモコン装置は、カラオケを利用するために集った利用者をメンバー表にして管理することができるように構成されている。そのために、メンバー登録を受け付けてメンバー表を作成するためのユーザインタフェース（利用者インタフェース）を備えている。メンバー表は、このカラオケリモコン装置内で各利用者に一意に割り当てられる２桁の数字からなる個人識別符号と、利用者が選択したフレームに利用者自身の顔写真を合成した標章からなる個人識別標章とを対応付けしたものである。
【００１７】
図３は、カラオケリモコン装置を起動したときに表示されるトップ画面３０の概略図を示している。また、図４はメンバー登録する際の画面遷移の概略を示している。図３のトップ画面において、「メンバー追加」ボタンが指示されると、まず、適宜に２桁の個人識別符号が振り出される。また、あらかじめメモリに用意されている数種類のフレームが一覧表示され、利用者が希望のフレームを選択できるようになっている（図４（Ａ））。利用者によってあるフレームが選択指示されると、次にデジタルカメラ１０によって利用者の顔を撮影させる。たとえば先に選択されたフレームを撮影のためのガイドフレームとして表示し、適当な大きさに撮影させる。中央処理装置２は、撮影されたＪＰＥＧ形式の写真データをフラッシュメモリ５に記憶する。
【００１８】
さらに、この利用者の名前を入力させる（図４（Ｂ））。名前を入力する画面に遷移すると、ひらがな文字パレットが表示され、これにタッチすると入力できる構成になっている。
【００１９】
中央処理装置２は、入力された氏名と、撮影された写真データの所在情報と選択されたフレームの情報とともに個人識別符号と対応付けしてメンバー表として管理する。図５にメンバー表の論理構成を例示している。
【００２０】
ここで記憶された写真は、選択されたフレームと合成し、このメンバーを特定する標章（個人識別標章）としてトップ画面３０などに一覧的に表示出力３２する。もちろん、入力された氏名を付加して個人識別標章としてもよい。ここに表示された個人識別標章を利用者が選択指示すると、この標章に対応付けして記憶されている個人識別符号がわかるように構成される。
【００２１】
また、ここで作成・更新されたメンバー表の内容は、カラオケ装置との適宜なデータ通信の機会にカラオケ装置にも送信される。したがって、カラオケ装置でも個人識別符号をキーにして個人識別標章を特定できるように構成されている。
【００２２】
その際に、カラオケリモコン装置の識別符号（カラオケリモコン装置の機体番号など）を付加して転送するようにしてもよい。複数台のカラオケリモコン装置を利用する場合などにも、メンバーを特定することが可能となる。
【００２３】
なお、カラオケ利用を終了する際などの適宜な機会に、登録されているメンバー全員を一括で、あるいは１人ずつメンバー表から削除することができるようなユーザインタフェースも用意されている。
【００２４】
個人識別標章は上記例に制限されず、他にも個人識別標章として採用可能である。たとえば、写真撮影はせずにメモリ５にあらかじめ用意されている数種類のキャラクタの中から選択して自分用の標章とする方式も採用可能である。また、個人識別標章あるいは個人識別符号として、氏名やニックネームだけを入力させて用いる方式も採用可能である。カラオケリモコン装置を手書き文字や手書きマークを取り込み可能に構成し、それを個人識別標章として用いてもよい。
【００２５】
また、ここで登録したメンバー表に対応付けてして、さらに住所、氏名や電話番号、嗜好などの詳細な個人情報を登録できるようにしておくと、カラオケ事業者がよりきめ細やかな個人別サービスを提供できるようになって便利である。たとえば上記手順によるメンバー登録の後の適宜な機会に、その他の詳細な情報を入力できるユーザインタフェースを用意しておくことで実現可能である。
【００２６】
さらに、そのような詳細な個人情報をカラオケホスト装置などに転送して管理しておき、利用者に対してメンバーＩＤやメンバーカードを発行し、この利用者が別の機会にカラオケを利用する際には、これらのＩＤやカードを用いて登録された情報をカラオケリモコン装置にダウンロードして利用する形式も採用可能である。こうすると、たとえば通信カラオケの全国各地の加盟店舗で利用する際に便利である。
【００２７】
＝＝＝楽曲検索機能＝＝＝
中央処理装置２は、液晶タッチパネル１を用いたユーザインタフェース（利用者インタフェース）によって、利用者の希望の楽曲を楽曲索引データベースに基づいて検索したり選曲させたりする（楽曲検索機能）。
【００２８】
楽曲検索機能については、例えば特開２００３−１３１６７２号公報や特開２００３−１３１６７３号公報にも詳しく開示されているように、新譜・曲名・歌手名・デュエット・あの頃・ジャンルなど楽曲のさまざまな属性情報によって希望の楽曲を検索できるものである。トップ画面３０には、各種検索方式（新譜・曲名・歌手名・デュエット・あの頃・ジャンルなど）や機能（履歴・リモコン・ゲーム・カメラなど）を呼び出すための各ボタンが配設されている。この画面３０の表示中に各検索方式や機能のボタンが指示されると、各検索方式や機能へ案内するための初期画面が表示され、その初期画面から階層的に画面遷移を行い、最終的にカラオケ装置に演奏予約したい楽曲を利用者が特定できるようなユーザインタフェースになっている。
【００２９】
そして、以下に説明する演奏予約処理にしたがって、その楽曲を演奏予約する旨の操作入力がなされると、該当の楽曲の識別符号を含んだリモコン信号が送出され、カラオケ装置に演奏予約される。
【００３０】
＝＝＝演奏予約処理＝＝＝
本発明に特徴的なユーザインタフェースとして、利用者が希望曲を特定して演奏予約する際に、メンバー登録した利用者の個人識別標章を選択する画面が表示され、上記リモコン信号には選択指示された個人識別標章に対応する個人識別符号も含まれて送信される。以下に各検索方式により希望曲を特定した後に演奏予約する場合のユーザインタフェースを説明する。
【００３１】
図６には、利用者が希望曲を特定して演奏予約する際の画面遷移を例示している。利用者が、上記の楽曲索引機能によってリクエストしたい楽曲を特定して選択指示すると、液晶タッチパネル１にはその楽曲の詳細な属性情報が表示される。利用者がこの詳細な属性情報を確認した上でその画面にある「予約」ボタンを指示すると、メンバーの特定を促す画面が表示される（図６（Ａ））。
【００３２】
本実施例では、予約ボタンの上にポップアップメニュー６２として、トップ画面３０に表示されている個人識別標章と同様の標章が一覧表示される。その中から、利用者が自分を示す標章を選択すると、中央処理装置２はメンバー表を参照してこの標章に対応する個人識別符号を取り出す。そして、短距離無線通信手段（無線送信器）が近辺に存在するカラオケ装置と交信し、その楽曲を演奏予約するためのリモコン信号にその個人識別符号を含めてカラオケ装置に向けて送信する。
【００３３】
ここで、まだメンバー登録をしていない利用者については、メンバー一覧表示中に列挙されている「新規メンバー」を表すアイコン６３を指示すると、前述したトップ画面における「メンバー追加」３１と同様のユーザインタフェースにより、新たにメンバーとして登録できる構成になっている。すなわち、この画面の指示に従ってデジタルカメラ１０で利用者の顔などを撮影して写真を登録し、氏名を入力すると、氏名、写真データの所在情報と個人識別符号とが対応付けられてメンバー表に記入される。さらに、この個人識別符号とともに、楽曲を演奏予約するリモコン信号がカラオケ装置に向けて送信される。これにより、演奏予約をする際には、必ず個人識別符号が付されることとなる。  
いずれの場合においても、その後、演奏予約した旨の確認画面（Ｂ）を表示した後に、トップ画面３０に戻る。
【００３４】
なお、この多機能カラオケリモコン装置のメモリ内には、登録された各メンバー（個人識別符号）別の曲数カウンタを備えている。このカウンタは各メンバーが予約した曲数を計数するためのものであって、新たにメンバーが登録された際に、このメンバーに対応付けしたカウンタに初期値０が設定される。メンバーがメンバー表から削除された場合には、対応するカウンタが開放されることはいうまでもないことである。
【００３５】
中央処理装置２は、演奏予約のリモコン信号を送信する際には、各個人識別標章に対応するカウンタをカウントアップ（歩進）する。そして、トップ画面３０などに一覧的に表示３２されている登録済みの各メンバーのそれぞれの標章のすぐ脇に、各メンバー用のカウンタから読み出した計数値を表示する。これにより、各標章に対応する利用者が演奏予約した楽曲の数が表示される。これによれば、誰が何曲予約したかが一目でわかるので、グループ内で円滑なコミュニケーションをはかれ、歌う人が偏ることなく公平感を保ってカラオケを楽しむことができる。
【００３６】
なお、カラオケ装置との適宜な通信により、演奏予約された曲の演奏が終わると、その曲を予約したメンバー用のカウンタの計数値から演奏済みの曲数をひくように構成することも可能である。そうすると現に演奏予約されている曲数がわかるので、利便性がさらに向上する。
【００３７】
また、予約ボタン指示の際に表示されるメンバー一覧表示６２は、本実施例においては予約ボタンのポップアップメニューとして楽曲の詳細な属性情報の画面上に重ねて表示する形式としたが、表示方式はこれに制限されない。たとえば、楽曲の詳細な属性情報の画面から切り替わって次に表示される画面としてもよい。
【００３８】
以上に説明した実施例によれば、頻繁にカラオケを利用しているカラオケ愛好者に限らず、はじめて利用した人や利用頻度の低い人も含めて、全ての利用者に気軽に個人を識別する情報を登録してもらえる。そのため、とくにグループでカラオケを楽しむ場合に、誰がどの楽曲を演奏予約したかが簡単にわかるので、別の人が重複して同じ楽曲を予約することを避けたり、逆に歌唱の巧拙を競うために同じ曲を予約する、といった多様なカラオケの楽しみ方が可能となる。このように、グループのメンバーを識別できるので、提供できるサービスの幅が広がり、カラオケの娯楽性が向上する。また、より多くの人に個人別に利用実績に応じたポイントサービスや嗜好に適したサービスを提供可能となる。したがって、カラオケ利用者やカラオケ利用の機会の増大を見込める。
【図面の簡単な説明】
【００３９】
【図１】本発明に係る多機能カラオケリモコン装置の概略外観図である。
【図２】上記多機能カラオケリモコン装置の機能ブロック図である。
【図３】上記多機能カラオケリモコン装置にて表示されるトップ画面を例示した図である。
【図４】上記多機能カラオケリモコン装置におけるメンバー登録時の画面遷移を例示した図である。
【図５】上記多機能カラオケリモコン装置にて採用されるメンバー表の論理構成を例示した図である。
【図６】上記多機能カラオケリモコン装置における演奏予約時の画面遷移を例示した図である。
【符号の説明】
【００４０】
１  液晶タッチパネル
２  中央処理装置
１０  デジタルカメラ
３０  トップ画面
３１  メンバー追加を指示するボタン
３２  登録済みのメンバーの一覧表示
６１  演奏予約を指示するボタン
６２  演奏予約を指示したメンバーの特定を促すためのポップアップメニュー
【図１】
2005049706.tif 000003
【図２】
2005049706.tif 000004
【図３】
2005049706.tif 000005
【図４】
2005049706.tif 000006
【図５】
2005049706.tif 000007
【図６】
2005049706.tif 000008